(57)【要約】【課題】取り付け対象梁部材を設置済み梁部材に取り付ける作業において、重機等を用いて取り付け対象梁部材を吊り続ける時間を短縮する。【解決手段】治具１を大梁Ｘに対して固定するために大梁Ｘに係合する係合部１１と、小梁Ｙを大梁Ｘに取り付けている間、小梁Ｙを載せて支える支え部１０と、を有し、係合部１１が大梁Ｘに係合して支え部１０上に小梁Ｙが載ることで、支え部１０は、小梁Ｙが大梁Ｘにおける取り付け箇所と隣り合った状態で小梁Ｙを支える。【選択図】図９
2018053532.tif 000002
【特許請求の範囲】
【請求項１】
設置済み梁部材に対して取り付け対象梁部材を前記設置済み梁部材と交差した状態で取り付ける際に用いられる梁部材取り付け用治具であって、
該梁部材取り付け用治具を前記設置済み梁部材に対して固定するために前記設置済み梁部材に係合する係合部と、
前記取り付け対象梁部材を前記設置済み梁部材に取り付けている間、前記取り付け対象梁部材を載せて前記取り付け対象梁部材を支える支え部と、を有し、
前記係合部が前記設置済み梁部材に係合して前記支え部の上に前記取り付け対象梁部材が載ることで、前記支え部は、前記取り付け対象梁部材が前記設置済み梁部材における取り付け箇所と隣り合った状態で前記取り付け対象梁部材を支えることを特徴とする梁部材取り付け用治具。
【請求項２】
前記支え部は、前記支え部に載せられた前記取り付け対象梁部材を昇降させて前記取り付け対象梁部材の上下位置を調整する位置調整部を備えることを特徴とする請求項１に記載の梁部材取り付け用治具。
【請求項３】
前記支え部は、板状部を備え、
前記位置調整部は、前記板状部の上面から突出している突出部を有し、前記支え部に前記取り付け対象梁部材が載せられた状態で前記突出部の突出量が変化することで前記上下位置を調整することを特徴とする請求項２に記載の梁部材取り付け用治具。
【請求項４】
前記支え部の両脇位置に前記係合部が設けられており、
各々の前記係合部は、隙間を空けて並んだ一対の板片を備え、該一対の板片の間に前記設置済み梁部材のフランジ部の端部を差し込むことで前記設置済み梁部材に係合することを特徴とする請求項１乃至３のいずれか一項に記載の梁部材取り付け用治具。
【請求項５】
前記梁部材取り付け用治具の上方に位置する前記取り付け対象梁部材を前記支え部へ向かうように導くガイド部を更に有することを特徴とする請求項１乃至４のいずれか一項に記載の梁部材取り付け用治具。
【請求項６】
一対の側壁を備え、
前記支え部は、前記一対の側壁の間に配置され、
前記係合部は、前記梁部材取り付け用治具の前後方向において前記一対の側壁の各々の前端部に設けられ、
前記ガイド部は、前記前後方向において前記一対の側壁の各々の後端部に設けられていることを特徴とする請求項５に記載の梁部材取り付け用治具。
【請求項７】
前記ガイド部は、棒状部材からなり、
各々の前記ガイド部の上端は、前記一対の側壁のうち、対応する側壁の上端よりも上方に位置していることを特徴とする請求項６に記載の梁部材取り付け用治具。
【請求項８】
一対の側壁を備え、
前記支え部は、前記一対の側壁の間に配置され、
前記支え部の前端は、前記梁部材取り付け用治具の前後方向において前記一対の側壁の各々の前端よりも後方に位置し、
前記梁部材取り付け用治具が前記設置済み梁部材に固定された状態では、前記取り付け箇所と、前記取り付け箇所の下方で前記設置済み梁部材と交差した柱部材とが前記一対の側壁の間に位置し、かつ、前記前後方向において前記支え部の前端よりも前方に位置していることを特徴とする請求項１乃至７のいずれか一項に記載の梁部材取り付け用治具。
【発明の詳細な説明】
【技術分野】
【０００１】
本発明は、梁部材取り付け用治具に係り、特に、設置済み梁部材に対して取り付け対象梁部材を設置済み梁部材と交差した状態で取り付ける際に用いられる梁部材取り付け用治具に関する。
【背景技術】
【０００２】
建物の建設工事において建物の躯体を構築する際、通常、クレーン等の重機によって取り付け対象梁部材を吊り上げて設置済み梁部材中の所定部位（取り付け箇所）と隣り合う位置へ運搬し、当該取り付け箇所にボルト等によって取り付け対象梁部材を取り付ける。この際、取り付け対象梁部材を吊りながら当該梁部材の位置調整を行うことになるが、調整には熟練した技術（具体的には、クレーン操作技術）を要する。このため、取り付け対象梁部材の位置調整を簡単且つ正確に行うための治具が開発されている（例えば、特許文献１参照）。
【０００３】
特許文献１に記載の梁調整治具について説明すると、当該治具の端部に取り付け対象梁部材をボルト等にて固定し、治具内に設けられた伸長機構（具体的にはジャッキ）を伸長させると、治具の端部が当該端部に固定された取り付け対象梁部材と一体的に水平移動する。これにより、設置済みの部材（厳密には柱部材）に対する取り付け対象梁部材の位置を容易に変更（調整）することが可能となる。
【先行技術文献】
【特許文献】
【０００４】
【特許文献１】特開２００９−２５６９７５号公報
【発明の概要】
【発明が解決しようとする課題】
【０００５】
ところで、取り付け対象梁部材を設置済み梁部材や上記の梁調整治具に固定する際、その固定作業が完了するまで取り付け対象梁部材を重機にて吊り続ける必要がある。その間、重機は、他の部材を吊ることができず、結果として建設工事の進行が遅れる虞がある。
【０００６】
そこで、本発明は、上記の課題に鑑みてなされたものであり、その目的とするところは、取り付け対象梁部材を吊り続ける時間を短縮することが可能な梁部材取り付け用治具を提供することである。
【課題を解決するための手段】
【０００７】
前記課題は、本発明の梁部材取り付け用治具によれば、設置済み梁部材に対して取り付け対象梁部材を前記設置済み梁部材と交差した状態で取り付ける際に用いられる梁部材取り付け用治具であって、該梁部材取り付け用治具を前記設置済み梁部材に対して固定するために前記設置済み梁部材に係合する係合部と、前記取り付け対象梁部材を前記設置済み梁部材に取り付けている間、前記取り付け対象梁部材を載せて前記取り付け対象梁部材を支える支え部と、を有し、前記係合部が前記設置済み梁部材に係合して前記支え部の上に前記取り付け対象梁部材が載ることで、前記支え部は、前記取り付け対象梁部材が前記設置済み梁部材における取り付け箇所と隣り合った状態で前記取り付け対象梁部材を支えることにより解決される。
【０００８】
以上のように構成された本発明の梁部材取り付け用治具では、取り付け対象梁部材を設置済み梁部材に取り付けている間、取り付け対象梁部材を治具中の支え部に載せて取り付け対象梁部材を支える。また、上記の支え部は、取り付け対象梁部材が設置済み梁部材における取り付け箇所と隣り合った状態で取り付け対象梁部材を支える。このように取り付け対象梁部材を設置済み梁部材に取り付ける間、本発明の梁部材取り付け用治具を用いることで、取り付け対象梁部材を、設置済み梁部材に取り付け可能な位置に保持しておくことが可能となる。この結果、取り付け対象梁部材を重機等にて吊り続ける時間がより短くなる。
【０００９】
また、上記の梁部材取り付け用治具において、前記支え部は、前記支え部に載せられた前記取り付け対象梁部材を昇降させて前記取り付け対象梁部材の上下位置を調整する位置調整部を備えるとよい。
上記の構成では、位置調整部により、支え部に載せられた取り付け対象梁部材の上下位置を調整することができる。これにより、例えば、設置済み梁部材の高さ（梁せい）と取り付け対象梁部材の高さ（梁せい）とが異なる場合において、両梁部材の上端位置を揃えた状態で取り付け対象梁部材を取り付ける際、取り付け対象梁部材の上下位置を適切な位置に調整することが可能となる。
【００１０】
また、上記の梁部材取り付け用治具において、前記支え部は、板状部を備え、前記位置調整部は、前記板状部の上面から突出している突出部を有し、前記支え部に前記取り付け対象梁部材が載せられた状態で前記突出部の突出量が変化することで前記上下位置を調整すると更によい。
上記の構成では、板状部の上面から突出した突出部の突出量を変化させることで取り付け対象梁部材の上下位置を調整する。このような構成であれば、比較的簡単な構成にて取り付け対象梁部材の上下位置を調整することが可能となる。
【００１１】
また、上記の梁部材取り付け用治具において、前記支え部の両脇位置に前記係合部が設けられており、各々の前記係合部は、隙間を空けて並んだ一対の板片を備え、該一対の板片の間に前記設置済み梁部材のフランジ部の端部を差し込むことで前記設置済み梁部材に係合するとより一層よい。
上記の構成では、隙間を空けて並んだ一対の板片の間に設置済み梁部材のフランジ部の端部を差し込むことにより、係合部を設置済み梁部材に係合する。このような構成であれば、比較的簡単な構成にて係合部を設置済み梁部材に係合することが可能となる。
【００１２】
また、上記の梁部材取り付け用治具において、前記梁部材取り付け用治具の上方に位置する前記取り付け対象梁部材を前記支え部へ向かうように導くガイド部を更に有すると尚一層よい。
上記の構成では、梁部材取り付け用治具の上方に位置する取り付け対象梁部材を、ガイド部によって支え部へ向かうように導くことができる。これにより、梁部材取り付け用治具の上方で吊られた状態の取り付け対象梁部材を下降させて支え部に向かわせ、スムーズに支え部に載せることが可能となる。
【００１３】
また、上記の梁部材取り付け用治具において、一対の側壁を備え、前記支え部は、前記一対の側壁の間に配置され、前記係合部は、前記梁部材取り付け用治具の前後方向において前記一対の側壁の各々の前端部に設けられ、前記ガイド部は、前記前後方向において前記一対の側壁の各々の後端部に設けられていると益々よい。
上記の構成では、一対の側壁の前端部において、係合部が設置済み梁部材に係合する。また、一対の側壁の後端部にはガイド部が設けられており、当該ガイド部により、梁部材取り付け用治具の上方で吊られている状態の取り付け対象梁部材を、一対の側壁の間に設けられた支え部へ向かうように導く。以上の構成であれば、係合部が設置済み梁部材に係合した状態を維持しつつ、ガイド部によって、取り付け対象梁部材を支え部に載せる位置まで適切に移動させることが可能となる。
【００１４】
また、上記の梁部材取り付け用治具において、前記ガイド部は、棒状部材からなり、各々の前記ガイド部の上端は、前記一対の側壁のうち、対応する側壁の上端よりも上方に位置していると一段とよい。
上記の構成では、梁部材取り付け用治具が設置済み梁部材に固定された状態において、棒状部材からなるガイド部の上端が側壁の上端よりも上方に位置している。このような構成であれば、比較的簡単な構成にて、取り付け対象梁部材を支え部へ向かうように導くことが可能となる。また、ガイド部が棒状部材によって構成されているので、取り付け対象梁部材を設置済み梁部材に取り付ける際に作業者の手がガイド部と干渉してしまう事態を、容易に回避することが可能となる。
【００１５】
また、上記の梁部材取り付け用治具において、一対の側壁を備え、前記支え部は、前記一対の側壁の間に配置され、前記支え部の前端は、前記梁部材取り付け用治具の前後方向において前記一対の側壁の各々の前端よりも後方に位置し、前記梁部材取り付け用治具が前記設置済み梁部材に固定された状態では、前記取り付け箇所と、前記取り付け箇所の下方で前記設置済み梁部材と交差した柱部材とが前記一対の側壁の間に位置し、かつ、前記前後方向において前記支え部の前端よりも前方に位置しているとよい。
上記の構成では、梁部材取り付け用治具が設置済み梁部材に固定されると、設置済み梁部材中の取り付け箇所と、当該取り付け箇所の下方で設置済み梁部材と交差した柱部材とが一対の側壁の間に位置し、かつ、梁部材取り付け用治具の前後方向において支え部の前端よりも前方に位置するようになる。このような位置関係であれば、梁部材取り付け用治具の支え部が設置済み梁部材の取り付け箇所や柱部材と干渉する状況を適切に回避することが可能となる。
【発明の効果】
【００１６】
本発明の梁部材取り付け用治具を用いることにより、取り付け対象梁部材を設置済み梁部材に取り付けている間、取り付け対象梁部材を下方から支えて保持しておくことが可能となる。これにより、取り付け対象梁部材を設置済み梁部材に取り付けている間、取り付け対象梁部材を重機等にて吊り続ける必要がなくなり、結果として、建設工事の作業を円滑に進めることが可能となる。
【図面の簡単な説明】
【００１７】
【図１】本発明の一実施形態に係る梁部材取り付け用治具、取り付け対象梁部材及び設置済み梁部材を示す図である。
【図２】本発明の一実施形態に係る梁部材取り付け用治具の正面図である。
【図３】本発明の一実施形態に係る梁部材取り付け用治具の側面図である。
【図４】本発明の一実施形態に係る梁部材取り付け用治具の上面図である。
【図５】梁部材取り付け用治具を設置済み梁部材に固定する様子を示す図である。
【図６】梁部材取り付け用治具が設置済み梁部材に固定された状態を側方から見たときの図である。
【図７】梁部材取り付け用治具が設置済み梁部材に固定された状態を下方から見たときの図である。
【図８】梁部材取り付け用治具の支え部に取り付け対象梁部材を載せる様子を示す図である。
【図９】梁部材取り付け用治具の支え部に取り付け対象梁部材を載せた状態を示す図である。
【発明を実施するための形態】
【００１８】
以下、本発明の一実施形態（以下、本実施形態）について図面を参照しながら説明する。なお、以下に説明する実施形態は、本発明の理解を容易にするために挙げた本発明の構成例の一つであり、本発明を限定するものではない。すなわち、本発明は、その趣旨を逸脱することなく、変更、改良され得ると共に、本発明にはその等価物が含まれることは勿論である。
【００１９】
先ず、本実施形態に係る梁部材取り付け用治具（以下、単に治具１という）について、図１を参照しながら概説する。治具１は、建物の建設工事において当該建物の躯体を構築する際に用いられ、具体的には、躯体を構成する梁部材同士を接合する際に用いられる。より詳しく説明すると、図１に示すように、横置きの状態で既に設置された梁部材(以下、大梁Ｘ)に対して小梁Ｙを大梁Ｘと交差した状態で取り付ける際に治具１が用いられる。
【００２０】
大梁Ｘは、設置済み梁部材に相当し、躯体において柱部材Ｚの上に架設される。また、大梁Ｘは、Ｈ形鋼からなり、小梁Ｙが取り付けられる箇所（取り付け箇所）には接合プレートＸｂが固定されている。この接合プレートＸｂは、大梁Ｘの側端に位置し、図１に示すように、大梁Ｘの上下端部に備えられたフランジ部Ｘａの間に跨った状態で配置されている。
【００２１】
小梁Ｙは、取り付け対象梁部材に相当し、大梁Ｘの設置後にクレーン等の重機により吊り上げられ、最終的に大梁Ｘの接合プレートＸｂに取り付けられる。また、小梁Ｙは、Ｈ形鋼からなり、その長手方向端部には端部プレートＹａが固定されている。この端部プレートＹａは、大梁Ｘに小梁Ｙを取り付ける際に大梁Ｘの接合プレートＸｂに接合され、具体的にはボルト留めされる。
【００２２】
また、本実施形態では、大梁Ｘの高さ（梁せい）が小梁Ｙの高さ（梁せい）よりも若干高くなっている一方で、大梁Ｘ及び小梁Ｙの各々の上端が揃うように小梁Ｙが大梁Ｘに取り付けられる。換言すると、本実施形態において、小梁Ｙは、小梁Ｙの下端が大梁Ｘの下端から幾分嵩上げされた状態で大梁Ｘに取り付けられることになっている。
【００２３】
治具１は、大梁Ｘに小梁Ｙを取り付けるにあたって大梁Ｘに固定され、作業者が大梁Ｘに小梁Ｙを取り付けている間、小梁Ｙの長手方向端部を下方から支える。より具体的に説明すると、小梁Ｙの長手方向一端部が取り付けられる大梁Ｘと、小梁Ｙの長手方向他端部が取り付けられる他の大梁Ｘと、にそれぞれ治具１が固定される。そして、各治具１は、小梁Ｙの長手方向両端部のうち、対応する端部（具体的には、より近い方の端部）を下方から支える。小梁Ｙは、各治具１によって端部（長手方向端部）が支えられると、大梁Ｘに取り付けられる上で適した位置に配置され、具体的には、端部プレートＹａが大梁Ｘの接合プレートＸｂと対向（厳密には隣接）する位置に配置されるようになる。
【００２４】
以上のように小梁Ｙを大梁Ｘに取り付ける間、小梁Ｙの荷重を治具１にて受けることが可能である。このため、小梁Ｙを大梁Ｘに取り付ける間に小梁Ｙを吊り続ける必要がなくなり、この結果、それまで当該小梁Ｙを吊っていた重機を他の建材（例えば、別の小梁Ｙ）の吊り上げ作業に回すことが可能となる。
【００２５】
次に、治具１の構成について図２〜図４を参照しながら説明する。図２〜図４は、それぞれ、治具１の正面図、側面図及び上面図である。なお、以下の説明において、「前後方向」とは、治具１の前後方向を意味し、具体的には、後述する側壁２の全長方向と一致する方向である。また、前後方向において、小梁Ｙが大梁Ｘに取り付けられた状態で小梁Ｙから大梁Ｘを見たときの向きを「前方」とし、大梁Ｘから小梁Ｙを見たときの向きを「後方」とする。
【００２６】
治具１は、図２〜図４に図示した外観を有する金物からなり、本実施形態では、作業者が手に持って運搬可能なサイズとなっている。なお、治具１の材質やサイズについては特に限定されるものではないが、小梁Ｙを支えるのに十分な強度を有し、かつ、作業者が容易に運搬可能なものであることが望ましい。
【００２７】
また、治具１は、正面視で略Ｈ形をなし左右対称形状となっており、図２〜図４に示すように、左右一対の側壁２と、水平壁３と、突出片４と、固定ネジ５と、リブ６と、ガイドバー７と、調整機構８とを有する。
【００２８】
一対の側壁２と水平壁３とは、治具１のうち、本体部分をなす。水平壁３は、板状部に相当し、一対の側壁２の間に挟まれた状態で各側壁２に溶接されている。また、治具１が大梁Ｘに固定された状態にあるとき、水平壁３は、略水平となる。そして、小梁Ｙを大梁Ｘに取り付ける際、水平壁３の上方に小梁Ｙが置かれる。つまり、水平壁３は、治具１中の支え部１０を構成する一部である。ここで、支え部１０とは、治具１のうち、小梁Ｙを大梁Ｘに取り付けている間に小梁Ｙを支える部分である。なお、本実施形態において、支え部１０は、一対の側壁２の間に配置されている。
【００２９】
水平壁３についてより詳しく説明すると、図４に示すように、水平壁３は、上方から見たときに方形状となっている。また、同図に示すように、水平壁３の前端は、前後方向において各側壁２の前端よりも後方に位置しており、水平壁３の後端は、各側壁２の後端と略同じ位置にある。
【００３０】
一対の側壁２の各々の前端部には、図３に示すように矩形状の切り欠き２ａが形成されている。この切り欠き２ａは、前後方向に延びており、上下方向における側壁２の中央位置付近（厳密には、中央位置よりも若干下方に位置する箇所）に設けられている。なお、一対の側壁２のそれぞれに形成された切り欠き２ａは、上下方向において同じ位置にある。また、各切り欠き２ａは、その下端縁が水平壁３の上面と同じ高さに位置するように形成されている。
【００３１】
一対の側壁２の各々には、図２及び図３に示すように、側壁２の外表面から外側に突出した上下一対の突出片４が設けられている。この上下一対の突出片４は、一対の板片に相当し、隙間を空けて上下並んでいる。より詳しく説明すると、図２及び図３に示すように、上下一対の突出片４は、それぞれ金属製の平板によって構成され、切り欠き２ａを挟む位置にて側壁２の外表面に溶接固定されている。厳密に説明すると、より上方の突出片４は、その下面が切り欠き２ａの上端縁と同じ高さに位置するように配置されており、より下方の突出片４は、その上面が切り欠き２ａの下端縁と同じ高さに位置するように配置されている。
【００３２】
突出片４の構造についてより詳しく説明すると、図４に示すように、各突出片４は、上方から見たときに長方形状となっている。また、図３に示すように、前後方向における各突出片４の長さは、前後方向における切り欠き２ａの長さよりも幾分長くなっている。厳密に説明すると、前後方向において、各突出片４の前端が切り欠き２ａの前端（つまり、切り欠き２ａの開口）と同じ位置にある一方で、各突出片４の後端は、切り欠き２ａの後端縁よりも幾分後方に位置している。
【００３３】
また、各突出片４の前端部にはネジ孔状の貫通孔（不図示）が設けられており、図３及び図４に示すように、上記の貫通孔には、ボルトからなる固定ネジ５が嵌合されている。固定ネジ５は、上記の貫通孔内を進退自在に構成されており、その先端部を突出片４から突出する位置まで進むことが可能である。厳密に説明すると、より上方の突出片４に組み付けられた固定ネジ５の先端部は、当該突出片４の下面よりも下方に突出することが可能である。また、より下方の突出片４に組み付けられた固定ネジ５の先端部は、当該突出片４の上面よりも上方に突出することが可能である。
【００３４】
また、各突出片４の前後方向略中央部には、図２乃至図４に示すように、補強用のリブ６が取り付けられている。このリブ６は、前方から見て略三角形状であり、側壁２の外表面と突出片４の上面又は下面とに溶接されている。
【００３５】
以上のように一対の側壁２の各々の前端部には切り欠き２ａと上下一対の突出片４とが設けられており、これらは、治具１中の係合部１１を構成している。ここで、係合部１１とは、治具１を大梁Ｘに対して固定するために大梁Ｘに係合する部分である。より詳しく説明すると、治具１を大梁Ｘに固定するにあたり、切り欠き２ａ及び上下一対の突出片４の間に大梁Ｘのフランジ部Ｘａ（厳密には下側のフランジ部Ｘａ）の端部が差し込まれる。これにより、上記の係合部１１が大梁Ｘと係合するようになる。その上で、突出片４に取り付けられている固定ネジ５の先端部の突出量を調整することで、治具１が大梁Ｘに対して固定されるようになる。
【００３６】
なお、本実施形態では、一対の側壁２の各々の前端部に係合部１１が設けられている。換言すると、支え部１０を構成する水平壁３の両脇位置に係合部１１が設けられている。これにより、治具１を大梁Ｘに固定した際にその固定状態をより安定させることが可能となる。ただし、上記の構成に限定されるものではなく、一対の側壁２のうちのいずれか一方の前端部にのみ係合部１１が設けられていてもよい。
【００３７】
調整機構８は、水平壁３の略中央部に組み付けられており、その上部に小梁Ｙを載せるものである。すなわち、調整機構８は、水平壁３と共に前述の支え部１０を構成する。そして、調整機構８は、位置調整部として機能し、具体的には、小梁Ｙを載せた状態で上下移動することで小梁Ｙを昇降させて小梁Ｙの上下位置を調整する。本実施形態に係る調整機構８は、図２に示すように、水平壁３の略中央部を貫通したネジ穴（不図示）に嵌合している調整ネジ８ａと、調整ネジ８ａの先端部（上端部）に取り付けられた円盤状の押圧具８ｂとによって構成されている。
【００３８】
調整ネジ８ａは、突出部に相当し、その先端部分が水平壁３の上面から幾分突出している。押圧具８ｂは、平坦な上面を備え、当該上面に小梁Ｙを載せる。そして、押圧具８ｂの上面に小梁Ｙが載せられた状態で調整ネジ８ａが操作されると、調整ネジ８ａの先端部分の突出量（水平壁３の上面からの突出量）が変化する。これにより、小梁Ｙの上下位置が調整される。
【００３９】
なお、本実施形態では、調整機構８が調整ネジ８ａと押圧具８ｂとによって構成されることとしたが、これに限定されず、小梁Ｙを載せた状態で小梁Ｙを上下方向に移動させるものであれば、他の機構（例えばジャッキ）を用いてもよい。
【００４０】
ガイドバー７は、ガイド部に相当し、治具１の上方で吊られている小梁Ｙを支え部１０（厳密には水平壁３及び調整機構８）の上に載せる際、当該小梁Ｙを支え部１０へ向かうように導く。ガイドバー７は、棒状部材からなり、図３及び図４に示すように一対の側壁２の各々の後端部に設けられている。また、各ガイドバー７の上端は、図２及び図３に示すように、一対の側壁２のうち、対応する側壁２（具体的には、着目するガイドバー７が取り付けられている方の側壁２）の上端よりも上方に位置している。これにより、比較的簡単な構成にて、小梁Ｙを水平壁３の上方（厳密には、調整機構８に載る位置）へ導くことが可能となる。
【００４１】
なお、本実施形態において、ガイドバー７は、治具１の上下方向に沿って真っ直ぐ伸びており、治具１が大梁Ｘに固定された状態では鉛直方向に沿っている。ただし、これに限定されるものではなく、ガイドバー７が治具１の上下方向に対して傾いていてもよい。
【００４２】
また、本実施形態では、棒状部材（具体的にはガイドバー７）をガイド部としているが、これに限定されるものではなく、一対の側壁２の各々を幾分背高とすることで各側壁２をガイド部として兼用することも可能である。ただし、側壁２をガイド部として兼用した場合には、治具１を大梁Ｘに固定したときに各側壁２が大梁Ｘの接合プレートＸｂの直ぐ脇に位置してしまう。そして、接合プレートＸｂに小梁Ｙを取り付ける（具体的にはボルト留めする）際に側壁２が接合プレートＸｂの脇に位置すると、作業者の手が接合プレートＸｂに届き難くなる結果、取り付け作業が困難となる。これに対して、本実施形態では、棒状部材をガイド部として利用し、さらに当該棒状部材が側壁２の後端部に位置している。つまり、接合プレートＸｂに小梁Ｙを取り付ける際にガイドバー７が接合プレートＸｂから離れている。このため、本実施形態では、上記のように作業者の手が接合プレートＸｂに届き難くなるという状況を回避することが可能となる。
【００４３】
次に、上述した構成の治具１の使用方法について図５〜図９を参照しながら説明する。図５〜図９は、治具１を用いて小梁Ｙを大梁Ｘに取り付ける作業のうち、治具１を大梁Ｘに固定する段階から治具１にて小梁Ｙを支える段階までの流れを示す図である。なお、図５及び図６は、治具１を側方から見たときの図となっており、図７は、治具１が大梁Ｘ材に固定された状態を下方から見たときの図となっており、図８及び図９は、治具１を後方から見たときの図となっている。また、図５〜図９では、治具１を簡略化して図示しており、例えばリブ６を省略した状態で図示している。
【００４４】
治具１を使用する上では、先ず、治具１を大梁Ｘに固定する。具体的に説明すると、大梁Ｘのうち、接合プレートＸｂが取り付けられている箇所近傍のフランジ部Ｘａに治具１の係合部１１を係合する。より具体的に説明すると、図５に示すように、一対の側壁２の各々に形成された切り欠き２ａ、及び、各側壁２の外表面から突出した上下一対の突出片４の間に下側のフランジ部Ｘａの端部を差し込む。この際、図６に示すように、上下一対の突出片４のうち、より上方の突出片４の下面をフランジ部Ｘａと当接させる。
【００４５】
その後、より下方の突出片４に取り付けられた固定ネジ５の先端部分の突出量を調整し、当該固定ネジ５の先端がフランジ部Ｘａに当接するまで突出量を増やす。これにより、治具１は、図６に図示した状態で大梁Ｘに固定されるようになる。かかる状態では、図７に示すように、接合プレートＸｂと、接合プレートＸｂの下方で大梁Ｘと交差した柱部材Ｚとが一対の側壁２の間に位置している。さらに、治具１が大梁Ｘに固定された状態では、接合プレートＸｂと柱部材Ｚとが前後方向において支え部１０の前端（厳密には水平壁３の前端）よりも前方に位置している。このように本実施形態では、支え部１０（水平壁３）が接合プレートＸｂや柱部材Ｚと干渉するのを回避しながら、治具１を大梁Ｘに固定することが可能である。
【００４６】
次に、小梁Ｙを重機で吊り上げ、吊りあげ状態で治具１の上方位置まで運搬する。小梁Ｙが治具１の上方位置に到達した後、小梁Ｙを治具１（厳密には支え部１０）の上に載る位置まで下降させる。この際、小梁Ｙは、図８に示すように、左右一対のガイドバー７の間を通過することで適切に支え部１０に向かうようになる。
【００４７】
そして、小梁Ｙが支え部１０の調整機構８（厳密には押圧具８ｂの上面）に載った時点で、調整機構８を操作して小梁Ｙの上下位置を調整する。具体的に説明すると、図９に示すように、小梁Ｙの上端が大梁Ｘの上端と同じ高さに位置するまで、調整ネジ８ａの突出量を増やす。
【００４８】
以上までの工程が終了した時点で、支え部１０に載った小梁Ｙは、その端部に設けられた端部プレートＹａが大梁Ｘの接合プレートＸｂと隣り合った（向かい合った）状態で治具１に支持さるようになる。つまり、治具１において係合部１１が大梁Ｘに係合して支え部１０上に小梁Ｙが載ると、小梁Ｙの長手方向端部が大梁Ｘの接合プレートＸｂと隣り合った状態で支え部１０が小梁Ｙを支えるようになる。
【００４９】
そして、小梁Ｙが図９に図示の状態で治具１に支えられるようになった後、小梁Ｙに掛けられていた吊り上げ用のフック（不図示）が外される。以降、小梁Ｙを治具１にて支持しながら当該小梁Ｙを大梁Ｘに取り付けることになる。この結果、小梁Ｙを大梁Ｘに取り付ける間には、もはや小梁Ｙを重機にて吊り上げる必要がなくなる。すなわち、本実施形態に係る治具１を用いることで、小梁Ｙを吊り上げてから大梁Ｘに取り付けるまでの間において小梁Ｙを吊り続ける時間を、より短くすることが可能となる。
【符号の説明】
【００５０】
１  治具（梁取り付け用治具）
２  側壁
２ａ  切り欠き
３  水平壁（板状部）
４  突出片（板片）
５  固定ネジ
６  リブ
７  ガイドバー（ガイド部）
８  調整機構（位置調整部）
８ａ  調整ネジ（突出部）
８ｂ  押圧具
１０  支え部
１１  係合部
Ｘ  大梁（設置済み梁部材）
Ｘａ  フランジ部
Ｘｂ  接合プレート（取り付け箇所）
Ｙ  小梁（取り付け対象梁部材）
Ｙａ  端部プレート
Ｚ  柱部材
【図１】
2018053532.tif 000003
【図２】
2018053532.tif 000004
【図３】
2018053532.tif 000005
【図４】
2018053532.tif 000006
【図５】
2018053532.tif 000007
【図６】
2018053532.tif 000008
【図７】
2018053532.tif 000009
【図８】
2018053532.tif 000010
【図９】
2018053532.tif 000011